(57)【要約】【課題】  ハンガーレール内の案内溝に沿って操作コードを安定して移動させ得る縦型ブラインドを提供する。【解決手段】  ハンガーレール１内に多数のランナー２を移動可能に支持し、各ランナー２からそれぞれスラット４を吊下支持し、先頭ランナー２ａをハンガーレール１の一端から垂下される操作コード５で移動操作して各ランナー２を移動させることにより、スラット４の引き出し及び畳み込み操作を行う縦型ブラインドにおいて、先頭ランナー２ａに操作コード５の端部を接続し、ハンガーレール１には操作コード５を該ハンガーレール１の一端に案内する案内溝を設け、先頭ランナー２ａには操作コード５を案内溝に案内するガイド部９ａ，９ｂを設けた。【選択図】      図１
2006183275.tif 000002
【特許請求の範囲】
【請求項１】
ハンガーレール内に多数のランナーを移動可能に支持し、前記各ランナーからそれぞれスラットを吊下支持し、先頭ランナーを前記ハンガーレールの一端から垂下される操作コードで移動操作して各ランナーを移動させることにより、前記スラットの引き出し及び畳み込み操作を行う縦型ブラインドにおいて、
前記先頭ランナーに前記操作コードの端部を接続し、前記ハンガーレールには前記操作コードを該ハンガーレールの一端に案内する案内溝を設け、前記先頭ランナーには前記操作コードを前記案内溝に案内するガイド部を設けたことを特徴とする縦型ブラインド。
【請求項２】
前記ガイド部は、前記操作コードの取付位置の側方に設けたガイド突起とし、該ガイド突起で前記操作コードを前記案内溝に案内することを特徴とする請求項１記載の縦型ブラインド。
【請求項３】
前記案内溝を前記ハンガーレールの側辺下部に設け、前記操作コードを、前記先頭ランナーとの取付位置から前記ガイド突起の下方を迂回させて前記案内溝に案内することを特徴とする請求項２記載の縦型ブラインド。
【請求項４】
前記操作コードの両端を前記先頭ランナーに取着し、該操作コードの無端縁を前記ハンガーレールの一端から垂下したことを特徴とする請求項１乃至３のいずれか１項に記載の縦型ブラインド。
【請求項５】
前記操作コードを、前記案内溝の底面より上方で前記先頭ランナーに取着したことを特徴とする請求項１乃至４のいずれか１項に記載の縦型ブラインド。
【請求項６】
前記先頭ランナーの上部を開口して、該先頭ランナーに挿通した前記操作コードに抜け止め手段を形成可能としたことを特徴とする請求項１乃至５のいずれか１項に記載の縦型ブラインド。
【発明の詳細な説明】
【技術分野】
【０００１】
この発明は、縦型ブラインドのスラットをハンガーレールに沿って移動させるスラット操作装置に関するものである。
【背景技術】
【０００２】
縦型ブラインドは、ハンガーレール内を移動可能に支持されたランナーからそれぞれスラットが吊下支持される。各スラットをハンガーレールに沿って移動操作可能とした横型ブラインドの一種類として、無端状の操作コードで先頭ランナーをハンガーレールに沿って移動させることにより、後続のランナーを移動させて各スラットをハンガーレールに沿って引き出し、あるいはハンガーレールの一側に畳み込み可能としたものがある。
【０００３】
このような縦型ブラインドでは、ハンガーレール内で引き回される操作コードを操作コードの不操作時に緊張状態に維持するために、ハンガーレール一端から垂下される操作コードの無端縁にコードウェイトを吊下支持したものがある。
【０００４】
また、特許文献１〜３には操作コードをハンガーレール内で垂れ下がることなく引き回すために、ハンガーレール内に操作コードを案内する案内溝を設けたものも開示されている。
【特許文献１】特許２７７１４１２号公報
【特許文献２】実開昭６２−２９１８７号公報
【特許文献３】実公昭３９−１５４４１号公報
【発明の開示】
【発明が解決しようとする課題】
【０００５】
上記のような縦型ブラインドでは、操作コードに掛装されたコードウェイトが揺動して、付近の家具あるいはガラス戸に衝突して損傷させたり、衝突音を発生させる等の問題点がある。
【０００６】
また、先頭ランナーに取着される操作コードの端部が、案内溝から外れた位置で該先頭ランナーに取着されると、先頭ランナーの移動にともなって操作コードが案内溝から外れやすいという問題点がある。
【０００７】
この発明の目的は、ハンガーレール内の案内溝に沿って操作コードを安定して移動させ得る縦型ブラインドを提供することにある。
【課題を解決するための手段】
【０００８】
請求項１では、ハンガーレール内に多数のランナーを移動可能に支持し、前記各ランナーからそれぞれスラットを吊下支持し、先頭ランナーを前記ハンガーレールの一端から垂下される操作コードで移動操作して各ランナーを移動させることにより、前記スラットの引き出し及び畳み込み操作を行う縦型ブラインドにおいて、前記先頭ランナーに前記操作コードの端部を接続し、前記ハンガーレールには前記操作コードを該ハンガーレールの一端に案内する案内溝を設け、前記先頭ランナーには前記操作コードを前記案内溝に案内するガイド部を設けた。
【０００９】
請求項２では、前記ガイド部は、前記操作コードの取付位置の側方に設けたガイド突起とし、該ガイド突起で前記操作コードを前記案内溝に案内する。
請求項３では、前記案内溝を前記ハンガーレールの側辺下部に設け、前記操作コードを、前記先頭ランナーとの取付位置から前記ガイド突起の下方を迂回させて前記案内溝に案内する。
【００１０】
請求項４では、前記操作コードの両端を前記先頭ランナーに取着し、該操作コードの無端縁を前記ハンガーレールの一端から垂下した。
請求項５では、前記操作コードを、前記案内溝の底面より上方で前記先頭ランナーに取着した。
【００１１】
請求項６では、前記先頭ランナーの上部を開口して、該先頭ランナーに挿通した前記操作コードに抜け止め手段を形成可能とした。
【発明の効果】
【００１２】
本発明によれば、ハンガーレール内の案内溝に沿って操作コードを安定して移動させ得る縦型ブラインドを提供することができる。
【発明を実施するための最良の形態】
【００１３】
以下、この発明を具体化した縦型ブラインドの一実施の形態を図面に従って説明する。図１及び図２に示す縦型ブラインドは、ハンガーレール１内に多数のランナー２が移動可能に支持され、各ランナー２に設けられるフック３からそれぞれスラット４が吊下支持される。
【００１４】
前記ランナー２の先頭ランナー２ａには操作コード５が接続される。すなわち、操作コード５の一端６ａは先頭ランナー２ａに取着され、ハンガーレール１の一方側辺に沿ってハンガーレール１の他端側に案内される。そして、図４に示すように、ハンガーレール１の他端に設けられる案内ローラー７ａ，７ｂを経て、同ハンガーレール１の他方側辺に向かって案内され、さらに他方側辺に沿ってハンガーレール１一端に案内され、同ハンガーレール１の一端から下方へ垂下される。
【００１５】
また、操作コード５の他端６ｂは先頭ランナー２ａに取着され、ハンガーレール１の一方側辺に沿ってハンガーレール１一端に案内され、同ハンガーレール１の一端から下方へ垂下される。従って、ハンガーレール１の一端から垂下される操作コード５は無端状となり、その操作コード５の操作により先頭ランナー２ａをハンガーレール１に沿って移動操作可能である。
【００１６】
図３に示すように、ハンガーレール１の両側辺の下端部は、互いに対向するように水平方向に屈曲され、その先端部に上方に延びるリブが形成されて、前記操作コードを案内する案内溝８がそれぞれ形成されている。
【００１７】
前記先頭ランナー２ａには、図５に示すように、前記操作コード５を前記案内溝８内に案内するガイド突起（ガイド部）９ａ，９ｂが設けられている。すなわち、前記操作コード５の一端６ａ及び他端６ｂは、案内溝８の底面よりやや上方で先頭ランナー２ａに取着され、ガイド突起９ａ，９ｂはその取付位置の側方にそれぞれ形成される。
【００１８】
そして、操作コード５の両端部は、取付位置からガイド突起９ａ，９ｂの下方に掛装されて、案内溝８内に案内される。従って、操作コード５の両端部は、先頭ランナー２ａに対する取付位置から下方に向かって案内されて、直ちに案内溝８内に案内される。
【００１９】
前記各ランナー２，２ａには、３条のスプラインが刻設されたチルト軸１０が嵌挿され、そのチルト軸１０の回転にともなって前記フック３を回動させるウォーム機構が内蔵されている。
【００２０】
前記ハンガーレールの一端には、ギヤボックス１１が取着され、その入力軸から操作棒１２が垂下されている。また、ギヤボックス１１の出力軸には前記チルト軸１０の一端が連結されている。従って、操作棒１２の回転操作に基づいて、チルト軸１０が回転される。
【００２１】
前記操作コード５の一端６ａ及び他端６ｂには抜け止め手段として結び目が形成されている。また、前記先頭ランナー２ａの上部は開口され、先頭ランナー２ａに挿通された両端６ａ，６ｂを上方へ引き出して結び目を形成可能となっている。
【００２２】
前記ランナー２，２ａは、スペーサー１３で連結され、各ランナー２，２ａの最大離間距離が設定されている。
次に、上記縦型ブラインドの動作を説明する。操作コード５の操作により、先頭ランナー２ａを図１において左方へ移動させると、後続のランナー２が順次等間隔を隔てて引き出され、各スラット４がハンガーレール１に沿って引き出される。
【００２３】
そして、操作棒１２を操作すると、チルト軸１０が回転され、そのチルト軸１０の回転にともなって各ランナー２，２ａのフック３が回転されて、各スラット４が同位相で回動される。
【００２４】
また、操作コード５の操作により、先頭ランナー２ａを図１において右方へ移動させると、先頭ランナー２ａにより後続のランナー２が順次押し戻されて、各スラット４がハンガーレール１の他端側に畳み込まれる。
【００２５】
上記のように構成された縦型ブラインドでは、次に示す作用効果を得ることができる。
（１）操作コード５はハンガーレール１の案内溝８内に支持される。従って、操作コード５の不操作時に操作コード５の弛みによるハンガーレール１から垂れ下がりを防止することができる。従って、操作コード５の無端縁にコードウェイトを吊下げる必要がない。
（２）コードウェイトを省略することができるので、コードウェイトと付近の家具等との無用な衝突を回避することができる。
（３）コードウェイトを備える必要がないので、この縦型ブラインドの部品点数を削減してコストを低減することができる。
（４）ハンガーレール１内では操作コード５が側辺とリブで構成される案内溝８内を移動する。従って、操作コード５の操作時に、操作コード５の案内溝８からの脱落を防止することができる。
（５）先頭ランナー２ａに取着された操作コード５の両端６ａ，６ｂは、ガイド突起９ａ，９ｂにより直ちに案内溝８内に案内することができる。従って、操作コード５の両端部近傍において、操作コード５の案内溝８からの脱落を防止することができる。
（６）先頭ランナー２ａの上部を開口したことにより、操作コード５の両端６ａ，６ｂに結び目を容易に形成することができる。
【００２６】
上記実施の形態は、以下の態様で実施してもよい。
・ガイド突起９ａ，９ｂは、操作コード５を案内溝８に向かって案内する形状であれば、突起以外の形状としてもよい。
【図面の簡単な説明】
【００２７】
【図１】縦型ブラインドを示す正面図である。
【図２】縦型ブラインドを示す平面図である。
【図３】ランナーを示す正面図である。
【図４】案内ローラーを示す正面図である。
【図５】先頭ランナーを示す正面図である。
【符号の説明】
【００２８】
１          ハンガーレール
２          ランナー
２ａ        先頭ランナー
４          スラット
５          操作コード
８          案内溝
９ａ，９ｂ        ガイド部（ガイド突起）
【図１】
2006183275.tif 000003
【図２】
2006183275.tif 000004
【図３】
2006183275.tif 000005
【図４】
2006183275.tif 000006
【図５】
2006183275.tif 000007